(57)【要約】【課題】  ピッキングに対抗するため、１つの錠前の外套部に、鍵と正合させるための複数の形状の違うガイド溝と、鍵穴を多数設けた錠前を提供する。【解決手段】  １錠前１鍵穴であった錠前装置に変わって、錠前の鍵穴を少なくとも２つ以上多数設けて、錠前のロック機構も複数もたせて、さらに、鍵穴閉塞装置として使用するとき、鍵穴に挿入された板状閉塞部は、鍵を解錠したときロック部位を自由運動させ、係合を解除するものとした。【選択図】        図１
0003112125.tif 000002
【実用新案登録請求の範囲】
【請求項１】
複数の角スプライン歯の組み合わせと、回動及び従動する角スプライン歯どうしの正合、及び不正合によって、目的のスイッチング部をＯＮ・ＯＦＦさせることのできる複合型錠前装置を備え持つスイッチング装置であって、基台１１から垂直方向に複数の第一キー挿入部突起１０ａ〜１０ｈを有する第一キー１０と、各々の嵌合部の形状に違いを持たせた複数の嵌合部を構成する第二キー摺接動凸部２１ａ〜２１ｅを設けたリング状の被嵌部を有する第二キー２０とを備え、開錠装置の第一キー１０と第二キー２０とを一体に正合させて複合キー３０を構成し、外壁面の縦軸方向に、第二キー摺接動凸部２１ａ〜２１ｅに正合するガイド溝４１ａ〜４１ｅを設けたリング状の装着用錠前外套４０を第二キー２０の内側の中心軸に沿って内装させ、複合キー３０が回動可能になるように端部機構の第二キー摺動空間部４３ａ〜４３ｅとを備えた装着用錠前外套４０の内壁に、角スプライン歯係合凹部４２を中心軸の奥方向に向かって定位置に設け、ネジ穴付き接合凸部４４を角スプライン歯係合凹部４２と第二キー摺動空間部４３ａ〜４３ｅとの同方位の底部に少なくとも３ヶ所以上設け、第一キー挿入部用ガイド鍵穴５１を備えた蓋部５３の内面に軸奥方向に切り込んだ角スプライン嵌合凹部５２を設けた第一キー挿入部用ガイド穴付き回動リング５０を同軸奥方向に配備し、前記第一キー挿入部突起１０ａ〜１０ｈの突起部の伸長と各第一キー用正合突起部６１ａ〜６１ｈの突起部の伸長の和が、第一キー挿入部用ガイド鍵穴５１の内部で各々同伸長になるように配設された第一キー用正合突起部６１ａ〜６１ｈとを配備し、内輪側に角スプライン嵌合凹部６２を設け、外輪側に角スプライン係合凸部６３とを備えた従動自在角スプライン歯車ロック部プレート６０が第一キー挿入部用ガイド穴付き回動リング５０の同心軸位置の奥側に配設され、従動自在角スプライン歯車ロック部プレート６０を第一キー挿入部用ガイド穴付き回動リング５０に密着させるように従動自在角スプライン歯車ロック部プレート６０を挟んで、第一キー挿入部用ガイド穴付き回動リング５０の反対側にバネ７０を配備させて、第一キー挿入部用ガイド穴付き回動リング５０の角スプライン嵌合凹部５２と従動自在角スプライン歯車ロック部プレート６０の角スプライン嵌合凹部６２とバネ７０を同心軸上の長軸従回動角スプライン歯車８０の長歯角スプライン８２に一体に嵌合させた同時回動群部４００を設けて、同時回動群部４００の長軸従回動角スプライン歯車８０の空洞部の内輪側に、スイッチングバーストッパ１００とスイッチングバー固定用台１０１とスイッチングバースライド用ガイド斜面１０２が内輪壁に沿って一対で向かい合わせに備えられ、長手方向先端部から、なだらかに盛り上がる斜面切り込み面２００Ａ２が貫通孔２００Ａ５に沿った両側に備わり、フック切り込み面２００Ａ３を設けたスイッチングバー２００Ａを長手方向にスライド係接部２００Ａ１を手前にしてスイッチングバーガイド穴１０３に貫通させ、先端部から、なだらかに盛り上がる波形の斜面切り込み面２００Ｂ２と斜面切り込み面２００Ｂ４を貫通孔２００Ｂ５に沿って片側づつに持たせたスイッチングバー２００Ｂを、長手方向に係止爪２００Ｂ１を手前にして、バックプレート９０のスイッチングバー挿入ガイド穴１０４に投入し、係止爪２００Ｂ１を爪穴１０５に係止させて、スイッチングバー２００Ａをバックプレート９０のスイッチングバー挿入ガイド穴１０４に斜面切り込み面２００Ｂ２と長手方向で摺接投入させ、スイッチングバー２００Ａの基部のスライド係接部２００Ａ１を蓋部５３で飛び出し防止させながら、錠前本体３００と一体にしたとき、複合キー３０を錠前本体３００に嵌合回動させることにより、スイッチングバー２００Ａはロックされたりフリーになったりするスイッチング運動をさせることができることを特徴とする錠前付きスイッチング装置。
【請求項２】
前記第一キー１０の第一キー挿入部突起１０ａ〜１０ｈは、基台１１から垂直方向に複数本備えられ、各々の突起の伸長が違い、各突起及び先端部の数及び形状が違うことを特徴とする請求項１に記載の錠前付きスイッチング装置。
【請求項３】
前記第二キー２０は第一キー１０と接合させて複合キー３０となり、第二キー２０の挿入軸方向先端部内側の任意の位置に第二キー摺接動凸部２１ａ〜２１ｅを設け、その第二キー摺接動凸部２１ａ〜２１ｅの各々凸部の数及び形状が違うことを特徴とする請求項１及び請求項２に記載の錠前付きスイッチング装置。
【請求項４】
前記装着用錠前外套４０は、前記第二キー２０の第二キー摺接動凸部２１ａ〜２１ｅに正合する数と形状を持ったガイド溝４１ａ〜４１ｅをその外周の軸方向に任意に備え、且つ正合して第二キー２０を装着用錠前外套４０に挿入させたときのみにおいて、回動軸端部で複合キー３０が回動できる第二キー摺動空間部４３ａ〜４３ｅを備えていることを特徴とする請求項１〜請求項３に記載の錠前付きスイッチング装置。
【請求項５】
前記第一キー１０の第一キー挿入部突起１０ａ〜１０ｈは複合キー３０を同時回動群部４００に挿入正合させたとき、内部構成の第一キー挿入部用ガイド鍵穴５１ので挿入方向軸で安定すると共に、従動自在角スプライン歯車ロック部プレート６０の第一キー用正合突起部６１ａ〜６１ｈと相対し、第一キー挿入部突起１０ａ〜１０ｈと第一キー用正合突起部６１ａ〜６１ｈの各々の伸長の和が同じ長さになることを特徴とする請求項１〜請求項４に記載の錠前付きスイッチング装置。
【請求項６】
前記装着用錠前外套４０の内壁部に挿入構成される同時回動群部４００の各第一キー挿入部用ガイド穴付き回動リング５０及び従動自在角スプライン歯車ロック部プレート６０及びバネ７０は、長軸従回動角スプライン歯車８０の長歯角スプライン８２の基底部にバネ７０を収め、合わせて従動自在角スプライン歯車ロック部プレート６０を、自ら備えている第一キー用正合突起部６１ａ〜６１ｈをバネ７０の反対側に向けて、角スプライン嵌合凹部６２を長歯角スプライン８２に嵌入させて、第一キー挿入部用ガイド穴付き回動リング５０の角スプライン嵌合凹部５２を長歯角スプライン８２に嵌入させて、装着用錠前外套４０に内装着し、装着用錠前外套４０のネジ穴付き接合凸部４４をバックプレート９０の接合用ガイド溝９４に正合させ、ネジ穴９５にネジで固定させて錠前本体３００としたことを特徴とする請求項１〜請求項５に記載の錠前付きスイッチング装置。
【請求項７】
前記錠前本体３００の配列中央部に具備させた従動自在角スプライン歯車ロック部プレート６０は、円盤状の角スプラインでその前後に具備させた部品と共に、長歯角スプライン８２の中央回転軸に沿って枢着させ、角スプライン係合凹部９１の一部と装着用錠前外套４０の角スプライン歯係合凹部４２の一部に角スプライン係合凸部６３の一部が係接することを特徴とする請求項１〜請求項６に記載の錠前付きスイッチング装置。
【請求項８】
スイッチングバー２００Ｂは長尺の板状の長手方向片側或いは両側に任意に斜面切り込み面２００Ｂ２と斜面切り込み面２００Ｂ４を持たせた部位を有し、先端部はなだらかに尖っており、長手方向に伸びた貫通孔２００Ｂ５を有し、その長手軸方向に沿ってバックプレート９０のスイッチングバー挿入ガイド穴１０４に投入させ、爪穴１０５に係止爪２００Ｂ１を嵌入させていることを特徴とする請求項１〜請求項７に記載の錠前付きスイッチング装置。
【請求項９】
スイッチングバー２００Ａは長尺の板状の長手方向末端に、片側或いは両側にスライド係接部２００Ａ１を備え、先端部はなだらかに尖っており、長手方向に伸びた貫通孔２００Ａ５を有し、前記スイッチングバー２００Ｂの貫通孔２００Ｂ５に交差して嵌合し、長手方向反対側にはその軸を挟んで片側或いは両側に斜面切り込み面２００Ａ２とフック切り込み面２００Ａ３を任意の位置に備えており、スライド係接部２００Ａ１の片側或いは両側が長軸従回動角スプライン歯車８０の長歯角スプライン８２の内輪をなしている部位のスイッチングバースライド用ガイド斜面１０２と、スイッチングバー固定用台１０１と、スイッチングバーストッパ１００とに係接され、スイッチングバー２００Ａの先端はスイッチングバーガイド穴１０３に投入されると共に、スイッチングバー挿入ガイド穴１０４を通過して、スイッチングバー２００Ｂの長手方向に摺接摺動することを特徴とする請求項１〜請求項８に記載の錠前付きスイッチング装置。
【考案の詳細な説明】
【技術分野】
【０００１】  本考案は、形状の異なった複数の鍵を一体にしてなる複合キーを用いて、角スプライン歯の組み合わせからなる錠前の内部構造に角スプライン歯の正合により回動スプライン歯の集合体にＯＮ・ＯＦＦのスイッチングの機能をもたせ、さらに回動を前後の摺動運動に変化させる複数のバーを用いて施錠及び開錠をさせる装置に関するものである。
【背景技術】
【０００２】  近年、施錠装置の不正開錠事件が多数発生している。従来の施錠装置は、通常のピッキングツール等によって容易に開錠できる。不正開錠を防止するには、既存の施錠装置を新たな形式の施錠装置にするのが効果的である。しかし、既存の錠前の内部構造を変更するのには非常に困難が伴い、また、部品点数が増えるとコスト面においても費用がかさみ厄介である。
【考案の開示】
【考案が解決しようとする課題】
【０００３】  本考案は、以上に述べた問題に鑑み考案されたもので、ピッキングに対抗して単純な鍵の組み合わせをもってして複合キーとその錠前にＯＮ・ＯＦＦ機能を持たせたもので、複数の複合キーを、正合部数を増やしたり位置を変えたりするだけで幾種類にも及ぶ錠前を安価に作成することができる錠前付きスイッチング装置を提供しようとをするものである。
【課題を解決するための手段】
【０００４】  請求項１に記載の本考案は、複数の角スプライン歯の組み合わせと、回動及び従動する角スプライン歯どうしの正合、及び不正合によって、目的のスイッチング部をＯＮ・ＯＦＦさせることのできる複合型錠前装置を備え持つスイッチング装置であって、基台１１から垂直方向に複数の第一キー挿入部突起１０ａ〜１０ｈを有する第一キー１０と、各々の嵌合部の形状に違いを持たせた複数の嵌合部を構成する第二キー摺接動凸部２１ａ〜２１ｅを設けたリング状の被嵌部を有する第二キー２０とを備え、開錠装置の第一キー１０と第二キー２０とを一体に正合させて複合キー３０を構成し、外壁面の縦軸方向に、第二キー摺接動凸部２１ａ〜２１ｅに正合するガイド溝４１ａ〜４１ｅを設けたリング状の装着用錠前外套４０を第二キー２０の内側の中心軸に沿って内装させ、複合キー３０が回動可能になるように端部機構の第二キー摺動空間部４３ａ〜４３ｅとを備えた装着用錠前外套４０の内壁に、角スプライン歯係合凹部４２を中心軸の奥方向に向かって定位置に設け、ネジ穴付き接合凸部４４を角スプライン歯係合凹部４２と第二キー摺動空間部４３ａ〜４３ｅとの同方位の底部に少なくとも３ヶ所以上設け、第一キー挿入部用ガイド鍵穴５１を備えた蓋部５３の内面に軸奥方向に切り込んだ角スプライン嵌合凹部５２を設けた第一キー挿入部用ガイド穴付き回動リング５０を同軸奥方向に配備し、前記第一キー挿入部突起１０ａ〜１０ｈの突起部の伸長と各第一キー用正合突起部６１ａ〜６１ｈの突起部の伸長の和が、第一キー挿入部用ガイド鍵穴５１の内部で各々同伸長になるように配設された第一キー用正合突起部６１ａ〜６１ｈとを配備し、内輪側に角スプライン嵌合凹部６２を設け、外輪側に角スプライン係合凸部６３とを備えた従動自在角スプライン歯車ロック部プレート６０が第一キー挿入部用ガイド穴付き回動リング５０の同心軸位置の奥側に配設され、従動自在角スプライン歯車ロック部プレート６０を第一キー挿入部用ガイド穴付き回動リング５０に密着させるように従動自在角スプライン歯車ロック部プレート６０を挟んで、第一キー挿入部用ガイド穴付き回動リング５０の反対側にバネ７０を配備させて、第一キー挿入部用ガイド穴付き回動リング５０の角スプライン嵌合凹部５２と従動自在角スプライン歯車ロック部プレート６０の角スプライン嵌合凹部６２とバネ７０を同心軸上の長軸従回動角スプライン歯車８０の長歯角スプライン８２に一体に嵌合させた同時回動群部４００を設けて、同時回動群部４００の長軸従回動角スプライン歯車８０の空洞部の内輪側に、スイッチングバーストッパ１００とスイッチングバー固定用台１０１とスイッチングバースライド用ガイド斜面１０２が内輪壁に沿って一対で向かい合わせに備えられ、長手方向先端部から、なだらかに盛り上がる斜面切り込み面２００Ａ２が貫通孔２００Ａ５に沿った両側に備わり、フック切り込み面２００Ａ３を設けたスイッチングバー２００Ａを長手方向にスライド係接部２００Ａ１を手前にしてスイッチングバーガイド穴１０３に貫通させ、先端部から、なだらかに盛り上がる波形の斜面切り込み面２００Ｂ２と斜面切り込み面２００Ｂ４を貫通孔２００Ｂ５に沿って片側づつに持たせたスイッチングバ���２００Ｂを、長手方向に係止爪２００Ｂ１を手前にして、バックプレート９０のスイッチングバー挿入ガイド穴１０４に投入し、係止爪２００Ｂ１を爪穴１０５に係止させて、スイッチングバー２００Ａをバックプレート９０のスイッチングバー挿入ガイド穴１０４に斜面切り込み面２００Ｂ２と長手方向で摺接投入させ、スイッチングバー２００Ａの基部のスライド係接部２００Ａ１を蓋部５３で飛び出し防止させながら、錠前本体３００と一体にしたとき、複合キー３０を錠前本体３００に嵌合回動させることにより、スイッチングバー２００Ａはロックされたリフリーになったりするスイッチング運動をさせることができることを特徴とする錠前付きスイッチング装置である。【０００５】  請求項２に記載の本考案は、前記第一キー１０の第一キー挿入部突起１０ａ〜１０ｈは、基台１１から垂直方向に複数本備えられ、各々の突起の伸長が違い、各突起及び先端部の数及び形状が違うことを特徴とする請求項１に記載の錠前付きスイッチング装置である。【０００６】  請求項３に記載の本考案は、前記第二キー２０は第一キー１０と接合させて複合キー３０となり、第二キー２０の挿入軸方向先端部内側の任意の位置に第二キー摺接動凸部２１ａ〜２１ｅを設け、その第二キー摺接動凸部２１ａ〜２１ｅの各々凸部の数及び形状が違うことを特徴とする請求項１及び請求項２に記載の錠前付きスイッチング装置である。【０００７】  請求項４に記載の本考案は、前記装着用錠前外套４０は、前記第二キー２０の第二キー摺接動凸部２１ａ〜２１ｅに正合する数と形状を持ったガイド溝４１ａ〜４１ｅをその外周の軸方向に任意に備え、且つ正合して第二キー２０を装着用錠前外套４０に挿入させたときのみにおいて、回動軸端部で複合キー３０が回動できる第二キー摺動空間部４３ａ〜４３ｅを備えていることを特徴とする請求項１〜請求項３に記載の錠前付きスイッチング装置である。【０００８】  請求項５に記載の本考案は、前記第一キー１０の第一キー挿入部突起１０ａ〜１０ｈは複合キー３０を同時回動群部４００に挿入正合させたとき、内部構成の第一キー挿入部用ガイド鍵穴５１ので挿入方向軸で安定すると共に、従動自在角スプライン歯車ロック部プレート６０の第一キー用正合突起部６１ａ〜６１ｈと相対し、第一キー挿入部突起１０ａ〜１０ｈと第一キー用正合突起部６１ａ〜６１ｈの各々の伸長の和が同じ長さになることを特徴とする請求項１〜請求項４に記載の錠前付きスイッチング装置である。【０００９】  請求項６に記載の本考案は、前記装着用錠前外套４０の内壁部に挿入構成される同時回動群部４００の各第一キー挿入部用ガイド穴付き回動リング５０及び従動自在角スプライン歯車ロック部プレート６０及びバネ７０は、長軸従回動角スプライン歯車８０の長歯角スプライン８２の基底部にバネ７０を収め、合わせて従動自在角スプライン歯車ロック部プレート６０を、自ら備えている第一キー用正合突起部６１ａ〜６１ｈをバネ７０の反対側に向けて、角スプライン嵌合凹部６２を長歯角スプライン８２に嵌入させて、第一キー挿入部用ガイド穴付き回動リング５０の角スプライン嵌合凹部５２を長歯角スプライン８２に嵌入させて、装着用錠前外套４０に内装着し、装着用錠前外套４０のネジ穴付き接合凸部４４をバックプレート９０の接合用ガイド溝９４に正合させ、ネジ穴９５にネジで固定させて錠前本体３００としたことを特徴とする請求項１〜請求項５に記載の錠前付きスイッチング装置である。【００１０】  請求項７に記載の本考案は、前記錠前本体３００の配列中央部に具備させた従動自在角スプライン歯車ロック部プレート６０は、円盤状の角スプラインでその前後に具備させた部品と共に、長歯角スプライン８２の中央回転軸に沿って枢着させ、角スプライン係合凹部９１の一部と装着用錠前外套４０の角スプライン歯係合凹部４２の一部に角スプライン係合凸部６３の一部が係接することを特徴とする請求項１〜請求項６に記載の錠前付きスイッチング装置である。【００１１】  請求項８に記載の本考案は、スイッチングバー２００Ｂは長尺の板状の長手方向片側或いは両側に任意に斜面切り込み面２００Ｂ２と斜面切り込み面２００Ｂ４を持たせた部位を有し、先端部はなだらかに尖っており、長手方向に伸びた貫通孔２００Ｂ５を有し、その長手軸方向に沿ってバックプレート９０のスイッチングバー挿入ガイド穴１０４に投入させ、爪穴１０５に係止爪２００Ｂ１を嵌入させていることを特徴とする請求項１〜請求項７に記載の錠前付きスイッチング装置である。【００１２】  請求項９に記載の本考案は、スイッチングバー２００Ａは長尺の板状の長手方向末端に、片側或いは両側にスライド係接部２００Ａ１を備え、先端部はなだらかに尖っており、長手方向に伸びた貫通孔２００Ａ５を有し、前記スイッチングバー２００Ｂの貫通孔２００Ｂ５に交差して嵌合し、長手方向反対側にはその軸を挟んで片側或いは両側に斜面切り込み面２００Ａ２とフック切り込み面２００Ａ３を任意の位置に備えており、スライド係接部２００Ａ１の片側或いは両側が長軸従回動角スプライン歯車８０の長歯角スプライン８２の内輪をなしている部位のスイッチングバースライド用ガイド斜面１０２と、スイッチングバー固定用台１０１と、スイッチングバーストッパ１００とに係接され、スイッチングバー２００Ａの先端はスイッチングバーガイド穴１０３に投入されると共に、スイッチングバー挿入ガイド穴１０４を通過して、スイッチングバー２００Ｂの長手方向に摺接摺動することを特徴とする請求項１〜請求項８に記載の錠前付きスイッチング装置である。
【考案の効果】
【００１３】  以上説明したように、本考案の錠前付きスイッチング装置は、その構成により以下の効果を有する。
第一キー挿入部用ガイド鍵穴５１に挿入できる第一キー１０の第一キー挿入部突起１０ａ〜１０ｈは、第一キー挿入部用ガイド鍵穴５１の形状にあった突起部で、その伸長は各々内部構造の従動自在角スプライン歯車ロック部プレート６０に設けられた第一キー用正合突起部６１ａ〜６１ｈと挿入当接正合したとき、互いの突起部の長さの和が全て或いは必要部分と位置が同じくして、装着用錠前外套４０の内部において錠前本体３００が回動する仕組みに配設されているため、錠前本体３００の中央にある従動自在角スプライン歯車ロック部プレート６０は複合キー３０が正合しない限り、自らが備えている角スプライン係合凸部６３が複合キー３０を用いない状態においては、回動軸に対して直角とならず常に僅かながら傾くため装着用錠前外套４０の角スプライン歯係合凹部４２と、またバックプレート９０の角スプライン係合凹部９１との一部に引っ掛かりロックされていて、錠前本体３００は回動できない。【００１４】  複合キー３０に備わっている第二キー２０の第二キー摺接動突部２１ａ〜２１ｅは、任意に複数個あり各々形状と、幅、大きさを変えることにより、装着用錠前外套４０のガイド溝４１ａ〜４１ｅは前記第二キー２０の第二キー摺接動突部２１ａ〜２１ｅを雄部とした場合、正合するべく各々の溝を雌部として配備させる。
複合キー３０が装着用錠前外套４０のガイド溝４１ａ〜４１ｅに抵抗なく挿入されたとき、第二キー摺接動突部２１ａ〜２１ｅは装着用錠前外套４０に設けた第二キー摺動空間部４３ａ〜４３ｅに沿って回動可能になる。【００１５】  同時に第一キー挿入部突起１０ａ〜１０ｈは、第一キー挿入部用ガイド穴付き回動リング５０の第一キー挿入部用ガイド鍵穴５１を貫通し、従動自在角スプライン歯車ロック部プレート６０の第一キー用正合突起部６１ａ〜６１ｈと正合して、錠前本体３００の各パーツは同軸上で水平に回動することができる。
その時点で従動自在角スプライン歯車ロック部プレート６０は、装着用錠前外套４０の角スプライン歯係合凹部４２とバックプレート９０の角スプライン係合凹部９１との不具合な引っ掛かりを失い、錠前本体３００全体が長軸従回動角スプライン歯車８０の長歯角スプライン８２を同軸として、複合キー３０の挿入方向に対して直角方向に左右回動できる。
そのとき長軸従回動角スプライン歯車８０は、左右回動時に錠前の内部でスイッチング機能を持つ。【００１６】  また、長軸従回動角スプライン歯車８０は長歯角スプライン８２の内輪側にスイッチングバースライド用ガイド斜面１０２とスイッチングバー固定用台１０１とスイッチングバーストッパ１００を備えており、スライド係接部２００Ａ１をスイッチングバー固定用台１０１に係接するようにしながら、スイッチングバーガイド穴１０３にスイッチングバー２００Ａを投入させて、長軸従回動角スプライン歯車８０の回動時にスイッチングバーストッパ１００で係止させることができるとき、スイッチングバー２００Ａはスイッチングバー固定用台１０１上で安定し、スイッチングバースライド用ガイド斜面１０２上では回動によりスイッチングバー２００Ａがスイッチングバースライド用ガイド斜面１０２の長さ分だけ上下運動に変化する。【００１７】  長軸従回動角スプライン歯車８０の底部は、スイッチングバー２００Ｂの係止爪２００Ｂ１をバックプレート９０に挟んで固定されるため、スイッチングバー２００Ｂに沿ってスイッチングバー２００Ａを摺動させることができ、長手方向に平行な視線から見て押したり、引いたりの運動をさせることができる。
また、スイッチングバー２００Ｂは固定されているが、スイッチングバー２００Ａは錠前の外側の複合キー３０が外れているときは、スイッチングバー２００Ｂと摺動して外へ向かって押し出されたままで動くことができないため、フック切り込み面２００Ａ３がフッキングすることができる。【００１８】  さらに複合キー３０を装着用錠前外套４０に正合させ、長軸従回動角スプライン歯車８０が回動するとスイッチングバー２００Ａはフリーの状態となり、フッキング力は解除される。
また、全ての部品が角スプライン歯で互いに嵌合しあっているので、剛性がより向上し、合成樹脂等で製造しても壊れにくく分解不能になる。
さらに、第一キーと第二キーの挿入部と凹凸部の数及び形状を変えることにより、簡単に錠前の種類を増やしていくことができる。
従って、ピッキングに対抗させながら、必要に応じてスイッチングをさせることのできる錠前付きスイッチング装置を提供できる。
【考案を実施するための最良の形態】
【００１９】  以下本考案を実施するための最良の形態を図面を参照して説明する。
なお、各図において共通する部分には同一の符号を付し、重複した説明を省略する。
図１は本考案の実施形態に係る錠前付きスイッチング装置全体の分解斜視図である。
図２は本考案の実施形態に係る錠前付きスイッチング装置全体の分解斜視図であって、図１では表示できなかった部位を角度を変えて表示した分解説明図である。
図３は本考案の実施形態に係る錠前付きスイッチング装置全体の分解正面図である。【００２０】  図４は本考案の実施形態に係る錠前付きスイッチング装置の第一キーと第二キーを接合させてなる施錠及び開錠のための複合キー３０の斜視図である。
図５は本考案の実施形態に係る錠前付きスイッチング装置の長軸従回動角スプライン歯車８０であって、（Ａ）は正面図、（Ｂ）は（Ａ）の右側面図、（Ｃ）は（Ａ）の左側面図、（Ｄ）は背面図である。
図６は本考案の実施形態に係る錠前付きスイッチング装置のスイッチングバー２００Ａであって、（Ａ）は正面図、（Ｂ）は側面図である。
図７は本考案の実施形態に係る錠前付きスイッチング装置のバックプレート９０にスイッチングバー２００Ｂを挿入接合させる状態の説明斜視図である。【００２１】  図８はスイッチングバー２００Ｂを挿入接合したバックプレート９０に長軸従回動角スプライン歯車８０を回動接合し、その後にスイッチングバー２００Ａを挿入接合させる状態の斜視図であって、（Ａ）は装置の内部側から見た説明図、（Ｂ）装置の外部側から見た説明図である。
図９は本考案の実施形態に係る錠前付きスイッチング装置の完成斜視説明図である。
説明を容易にするために、錠前にあたる鍵穴の奥方向を底部或いは先端部と説明し、反対方向を前部と説明する。【００２２】  第一キー１０は、基台１１から垂直方向に複数の第一キー挿入部突起１０ａ〜１０ｈ（図１，図３）を有し、第二キー２０は各々のロック部の形状に違いを持たせた複数のロック部を構成する第二キー摺接動凸部２１ａ〜２１ｅ（図１，図２）を設けたリング状の被嵌部を有し、開錠装置の第一キー１０と第二キー２０とを一体に正合接着させて複合キー３０を図４の如くを構成する。
次に、リング状の装着用錠前外套４０の外壁面の縦軸方向に、第二キー摺接動凸部２１ａ〜２１ｅに正合するガイド溝４１ａ〜４１ｅを設け、第二キー２０内側に向かって、その中心軸に沿って内装させる。【００２３】  複合キー３０は、自身が回動可能になるように、第二キー２０の端部機構に第二キー摺動空間部４３ａ〜４３ｅを設けさせる。そして前記装着用錠前外套４０の内壁には、後述する従動自在角スプライン歯車ロック部プレート６０の角スプライン係合凸部６３が係合するための角スプライン歯係合凹部４２を所定の位置に設けて、ネジ穴付き接合凸部４４を角スプライン歯係合凹部４２と第二キー摺動空間部４３ａ〜４３ｅとの同方位の底部に設けて、後述する同時回動群部４００を装着用錠前外套４０と後述するバックプレート９０との間に収納して錠前本体３００を構成する。【００２４】  錠前本体３００の内部には、構成されている同時回動群部４００の前部に備わっている第一キー挿入部用ガイド穴付き回動リング５０が設けられる。回動リング５０には、の第一キー挿入部用ガイド鍵穴５１と蓋部５３の底部内周にその回転軸方向に切り込んだ角スプライン嵌合凹部５２が設けられている。
従動自在角スプライン歯車ロック部プレート６０には、前記複合キー３０が錠前本体３００に嵌合挿入されたときにおいて、第一キー挿入部突起１０ａ〜１０ｈの突起部の伸長と各第一キー用正合突起部６１ａ〜６１ｈの突起部の伸長の和が、各々同伸長になるように配設された第一キー用正合突起部６１ａ〜６１ｈとを配備し、内輪側に角スプライン嵌合凹部６２を設け、外輪側に角スプライン係合凸部６３とが同心軸位置に配設されている。【００２５】  そして従動自在角スプライン歯車ロック部プレート６０を第一キー挿入部用ガイド穴付き回動リング５０に密着させるように従動自在角スプライン歯車ロック部プレート６０を挟んで、第一キー挿入部用ガイド穴付き回動リング５０の反対側にバネ７０を配備させて、第一キー挿入部用ガイド穴付き回動リング５０の角スプライン嵌合凹部５２と従動自在角スプライン歯車ロック部プレート６０の角スプライン嵌合凹部６２とバネ７０を同心軸上の後述する長軸従回動角スプライン歯車８０の長歯角スプライン８２に一体に嵌合させて前記同時回動群部４００が構成される。【００２６】  前記長軸従回動角スプライン歯車８０は、図５に示す如く回転軸方向に沿って長尺な矩形の長歯角スプライン８２を、錠前の前部に向かって備えており、その内輪側にはスイッチングバーガイド穴１０３，スイッチングバースライド用ガイド斜面１０２，スイッチングバー固定用台１０１，スイッチングバーストッパ１００を備えている。前記長歯角スプライン８２には、前述したリング状のバネ７０が介装され、さらにその前方に従動自在角スプライン歯車ロック部プレート６０の角スプライン嵌合凹部６２が第一キー用正合突起部６１ａ〜６１ｈを錠前の前部に向けて嵌合介装され、第一キー用正合突起部６１ａ〜６１ｈを第一キー挿入部用ガイド鍵穴５１に挿入させて同時回動群部４００を構成し、それらが錠前本体３００に内装されいる。【００２７】  錠前本体３００に内装される同時回動群部４００の前部に配備されて複合キー３０と錠前本体３００が正合挿入され回動されたとき、長軸従回動角スプライン歯車８０はその構成された内部で回転軸に沿って左右に従動し、そのときスイッチングを行うことができる。
バックプレート９０は、角スプライン係合凹部９１を内輪側前方に向けて切り込み、その基底部中央に、後述するスイッチングバー２００Ｂを長手方向に投入するためのスイッチングバー挿入ガイド穴１０４を備え、さらに係止爪２００Ｂ１（図７）を係止させる爪穴１０５を、その係止爪２００Ｂ１の形状に合わせて所定の位置に備えている。また、接合用ガイド溝９４とネジ穴９５とを基底部周辺の所定の位置に形成し、ネジ等でそのネジ穴９５と装着用錠前外套４０のネジ穴付き接合凸部４４とを嵌着させることができる。【００２８】  図７のスイッチングバー２００Ｂをバックプレート９０のスイッチングバー挿入ガイド穴１０４にスイッチングバー２００Ｂの長手方向に投入させて、その係止爪２００Ｂ１を爪穴１０５に係止させてから長軸従回動角スプライン歯車８０の底部を周回動できるように当接ておく。さらにバックプレート９０には、内輪側の前部に向かって角スプライン係合凹部９１を切り込んであり、前述の従動自在角スプライン歯車ロック部プレート６０の角スプライン係合凸部６３が一部係接する。【００２９】  その状態において、図８の如く長軸従回動角スプライン歯車８０の内側にあるスイッチングバーガイド穴１０３を通して連続でスイッチングバー挿入ガイド穴１０４を通過するように、図６にあるスイッチングバー２００Ａを投入する。そのときスイッチングバー２００Ａは長手方向基部にスライド係接部２００Ａ１を持たせてあり、長軸従回動角スプライン歯車８０の矩形の長歯角スプライン８２の内側に設けてあるスイッチングバーストッパ１００，スイッチングバー固定用台１０１，スイッチングバースライド用ガイド斜面１０２とに係接し、同時回動群部４００を構成している内部において第一キー挿入部用ガイド穴付き回動リング５０の蓋部５３で飛び出しを防止されながら、スイッチングバー２００Ａの長手方向を軸として左右に回動させたとき、スイッチングバーストッパ１００を回動のストッパとなる。【００３０】  スイッチングバー２００Ｂは、貫通孔２００Ｂ５を有し、スイッチングバー２００Ａの貫通孔２００Ａ５と交差嵌合し、第一キー挿入部用ガイド穴付き回動リング５０の蓋部５３で、スイッチングバー２００Ａの基部を一定の位置間に留め、同時回動群部４００が回動されたとき、スイッチングバー２００Ａの長手側と斜面切り込み面２００Ａ２がスイッチングバースライド用ガイド斜面１０２を、摺動上下し、スイッチングバー２００Ａの長手方向にスイッチング運動をさせることができる。【００３１】  図９は完成斜視図であり、基台１１が鍵であり、錠前の錠前本体３００に整合装着されて回動されたとき、錠前本体３００の内部構造の中心部でＯＮ−ＯＦＦスイッチが働き、スイッチングバー２００Ａがスイッチングバー２００Ｂと長手方向に交差したまま、スイッチングバー２００Ａのみがフリーになったりロックされたりするスイッチング運動をさせることができる。
【図面の簡単な説明】
【００３２】
【図１】  本考案の実施形態に係る錠前付きスイッチング装置全体の分解斜視図。
【図２】  本考案の実施形態に係る錠前付きスイッチング装置全体の分解斜視図であって、図１では表示できなかった部位を角度を変えて表示した分解説明図。
【図３】  本考案の実施形態に係る錠前付きスイッチング装置全体の分解正面図。
【００３３】
【図４】  本考案の実施形態に係る錠前付きスイッチング装置の第一キーと第二キーを接合させてなる施錠及び開錠のための複合キー３０の斜視図。
【図５】  本考案の実施形態に係る錠前付きスイッチング装置の長軸従回動角スプライン歯車８０であって、（Ａ）は正面図、（Ｂ）は（Ａ）の右側面図、（Ｃ）は（Ａ）の左側面図、（Ｄ）は背面図。
【図６】  本考案の実施形態に係る錠前付きスイッチング装置のスイッチングバー２００Ａであって、（Ａ）は正面図、（Ｂ）は側面図。
【００３４】
【図７】  本考案の実施形態に係る錠前付きスイッチング装置のバックプレート９０にスイッチングバー２００Ｂを挿入接合させる状態の説明斜視図。
【図８】  スイッチングバー２００Ｂを挿入接合したバックプレート９０に長軸従回動角スプライン歯車８０を回動接合し、その後にスイッチングバー２００Ａを挿入接合させる状態の斜視図であって、（Ａ）は装置の内部側から見た説明図、（Ｂ）装置の外部側から見た説明図。
【図９】  本考案の実施形態に係る錠前付きスイッチング装置の完成斜視説明図。
【符号の説明】
【００３５】１０  第一キー
１１  基台
１０ａ〜１０ｈ  第一キー挿入部突起
２０  第二キー
２１ａ〜２１ｅ  第二キー摺接動凸部
３０  複合キー
４０  装着用錠前外套
４１ａ〜４１ｅ  ガイド溝
４２  角スプライン歯係合凹部
４３ａ〜４３ｅ  第二キー摺動空間部
４４  ネジ穴付き接合凸部
【００３６】５０  第一キー挿入部用ガイド穴付き回動リング
５１  第一キー挿入部用ガイド鍵穴
５２  角スプライン嵌合凹部
５３  蓋部
６０  従動自在角スプライン歯車ロック部プレート
６１ａ〜６１ｈ  第一キー用正合突起部
６２  角スプライン嵌合凹部
６３  角スプライン係合凸部
７０  バネ
８０  長軸従回動角スプライン歯車
８２  長歯角スプライン
【００３７】９０  バックプレート
９１  角スプライン係合凹部
９３ａ〜９３ｅ  第二キー摺動面
９４  接合用ガイド溝
９５  ネジ穴
１００  スイッチングバーストッパ
１０１  スイッチングバー固定用台
１０２  スイッチングバースライド用ガイド斜面
１０３  スイッチングバーガイド穴
１０４  スイッチングバー挿入ガイド穴
１０５  爪穴
【００３８】２００Ａ  スイッチングバー
２００Ｂ  スイッチングバー
２００Ａ１  スライド係接部
２００Ａ２  斜面切り込み面
２００Ａ３  フック切り込み面
２００Ａ５  貫通孔
２００Ｂ１  係止爪
２００Ｂ２  斜面切り込み面
２００Ｂ４  斜面切り込み面
２００Ｂ５  貫通孔
３００  錠前本体
４００  同時回動群部
【図１】
0003112125.tif 000003
【図２】
0003112125.tif 000004
【図３】
0003112125.tif 000005
【図４】
0003112125.tif 000006
【図５】
0003112125.tif 000007
【図６】
0003112125.tif 000008
【図７】
0003112125.tif 000009
【図８】
0003112125.tif 000010
【図９】
0003112125.tif 000011